(57)【特許請求の範囲】
【請求項１】
放送局から放送された素材データを確認する放送素材確認システムであって、
入力された素材データに対して所定の第１のタイミング毎にトーンを付加し、
前記トーンが付加された第１の素材データに対して所定の周波数分析を行い、該周波数分析により得られる分析値を、前記第１のタイミング間隔毎に積算した第１の積算値を記憶すると共に、
前記第１の素材データを前記放送局に対して出力する登録処理部と、
前記放送局から放送された、トーンが付加された第２の素材データを受信し、
前記第２の素材データから前記トーンを検出し、
前記第２の素材データに対して前記所定の周波数分析を行い、該周波数分析により得られる分析値を、前記トーンを検出した第２のタイミング間隔毎に積算した第２の積算値を記憶する受信処理部と、
前記第１及び第２の積算値を比較し、
比較結果に基づき、前記第１及び第２の積算値に対応する前記第１及び第２の素材データが同一であるか否かを判断する比較処理部とからなることを特徴とする放送素材確認システム。
【請求項２】
前記登録処理部は、
前記第１のタイミングを規定する第１のタイミング信号を生成するタイミング制御部と、
入力された前記素材データにおける所定のカットオフ周波数以下の周波数成分を制限するハイパスフィルタと、
前記第１のタイミング信号に基づき、前記素材データの前記カットオフ周波数以下の帯域に前記第１のタイミングで前記トーンを付加して前記第１の素材データを生成するトーン付加部と、
前記第１の素材データに対して周波数分析を行い、前記第１のタイミング信号に基づき、前記第１のタイミング間隔毎に周波数成分を積算して前記第１の積算値を算出する第１の周波数分析部と、
前記第１の積算値を記憶する第１の記憶部と、
前記第１の素材データを前記放送局に対して出力する素材登録部とを備え、
前記受信処理部は、
前記放送局から放送された前記第２の素材データを受信する放送受信部と、
前記第２の素材データから前記トーンを検出すると共に、前記検出されたタイミングで、前記第２のタイミングを規定する第２のタイミング信号を生成して出力するトーン検出部と、
前記第２の素材データに対して周波数分析を行い、前記第２のタイミング信号に基づき、前記第２のタイミング間隔毎に周波数成分を積算して前記第２の積算値を算出する第２の周波数分析部と、
前記第２の積算値を記憶する第２の記憶部とを備え、
前記比較処理部は、
前記第１及び第２の積算値を比較し、前記第１及び第２の積算値が一致するか否かを判断するサーチ部と、
前記サーチ部における判断結果に基づき、前記第１及び第２の積算値に対応する前記第１及び第２の素材データが同一であるか否かを判断する結果出力部とを備えることを特徴とする請求項１に記載の放送素材確認システム。
【請求項３】
前記サーチ部は、
前記第１及び第２の積算値を周波数成分毎に比較し、信号レベルが同一となる周波数成分が予め設定された所定の割合以上である場合に、前記第１及び第２の積算値が一致すると判断し、
前記結果出力部は、
前記サーチ部で一致すると判断された積算値が予め設定された所定の割合以上である場合に、前記第１及び第２の積算値に対応する前記第１及び第２の素材データが同一であると判断することを特徴とする請求項２に記載の放送素材確認システム。
【請求項４】
前記素材データは、音声信号を含むことを特徴とする請求項１、２又は３に記載の放送素材確認システム。
【請求項５】
前記トーンは、単一の周波数成分からなるシングルトーンであることを特徴とする請求項１乃至４のいずれかに記載の放送素材確認システム。
【請求項６】
放送局から放送された素材データを確認する放送素材確認方法であって、
入力された素材データに対して所定の第１のタイミング毎にトーンを付加し、
前記トーンが付加された第１の素材データに対して所定の周波数分析を行い、該周波数分析により得られる分析値を、前記第１のタイミング間隔毎に積算した第１の積算値を記憶し、
前記第１の素材データを前記放送局に対して出力し、
前記放送局から放送された、トーンが付加された第２の素材データを受信し、
前記第２の素材データから前記トーンを検出し、
前記第２の素材データに対して前記所定の周波数分析を行い、該周波数分析により得られる分析値を、前記トーンを検出した第２のタイミング間隔毎に積算した第２の積算値を記憶し、
前記第１及び第２の積算値を比較し、
比較結果に基づき、前記第１及び第２の積算値に対応する前記第１及び第２の素材データが同一であるか否かを判断することを特徴とする放送素材確認方法。
【発明の詳細な説明】
【技術分野】
【０００１】
本発明は、放送素材確認システム及び放送素材確認方法に関し、特に、放送すべき音声素材が実際に放送されたか否かを確認するシステム及び方法に関する。
【背景技術】
【０００２】
従来、音声素材を放送するラジオシステムにおいては、音声素材が予め設定された運行データに従って正確に放送されたか否かを、ラジオシステムの制御によって放送した結果を示す情報等に基づいて確認している。しかし、この方法では、ラジオシステムから音声素材を再生したという結果は確認できるが、実際に外部に対して放送されたか否かについては、確認することができない。
【０００３】
そこで、最近では、このような問題を解決するために、放送すべき音声素材と、実際に放送された音声素材とを比較することにより、音声素材が正確に放送されたか否かを確認する様々な方法が提案されている。
【０００４】
例えば、特許文献１には、音声素材の先頭部分に予め所定時間の無音状態を付加した音声データを生成して記憶すると共に、放送された音声データから無音状態を検出した場合に、無音状態直後を開始点として所定時間分の音声データを記憶し、記憶された各々の音声データのレベル及び／又は基本周波数を比較することにより、放送すべき音声素材が正確に放送されたか否かを確認する方法が記載されている。
【０００５】
また、特許文献２には、入力される音声データの比較を行う際に用いられる比較パタンを予め登録しておき、入力された音声データのレベルに基づいて開始点を判別し、この開始点からの音声データの入力パタンと、予め登録された比較パタンとに対して周波数分析を行い、分析結果に基づいて音声を認識する方法が記載されている。
【先行技術文献】
【特許文献】
【０００６】
【特許文献１】特開平１１−２５２５８８号公報
【特許文献２】特開昭６３−１３２３００号公報
【発明の概要】
【発明が解決しようとする課題】
【０００７】
しかし、特許文献１に記載の方法では、音声素材に対して開始点を判別するための所定時間の無音状態を付加する必要があるが、放送された音声素材の先頭に所定時間の無音状態が存在しない場合には、音声素材の開始点を判別することができない。また、音声素材中に所定時間の無音状態が存在した場合には、無音状態直後が開始点であると誤認し、２つの音声素材を正確に比較することができない。
【０００８】
さらに、２つの音声素材の基本周波数を比較する際には、開始点から所定時間分の音声データのみを比較するため、所定時間を超える音声素材については、例えば、音声素材の最後部分の基本周波数が異なる場合であっても、同一の音声素材であると認識する虞がある。
【０００９】
また、特許文献２に記載の方法では、音声素材の開始点を音声レベルで判別するため、放送中に比較パタンの音声レベルと同一レベルの音声素材が存在した場合に、比較を開始する虞がある。
【００１０】
すなわち、上述した特許文献１及び２に記載の方法では、無音状態の有無や音声レベルによって音声素材の開始点を判別するため、音声素材中に所定時間と同一の無音状態や音声レベルが同一の部分が存在する場合に、音声素材を正確に比較することができないという問題があった。
【００１１】
また、音声素材の開始点から所定時間分のみを比較するため、所定時間を超える部分が異なるような、類似する音声素材を同一の音声素材として認識する虞があるという問題があった。
【００１２】
そこで、本発明は、上記従来の技術における問題点に鑑みてなされたものであって、素材をほとんど加工することなく、放送すべき音声素材が実際に放送されたか否かを正確に検出することが可能な放送素材確認システム及び放送素材確認方法を提供することを目的とする。
【課題を解決するための手段】
【００１３】
上記目的を達成するため、本発明は、放送局から放送された素材データを確認する放送素材確認システムであって、入力された素材データに対して所定の第１のタイミング毎にトーンを付加し、前記トーンが付加された第１の素材データに対して所定の周波数分析を行い、該周波数分析により得られる分析値を、前記第１のタイミング間隔毎に積算した第１の積算値を記憶すると共に、前記第１の素材データを前記放送局に対して出力する登録処理部と、前記放送局から放送された、トーンが付加された第２の素材データを受信し、前記第２の素材データから前記トーンを検出し、前記第２の素材データに対して前記所定の周波数分析を行い、該周波数分析により得られる分析値を、前記トーンを検出した第２のタイミング間隔毎に積算した第２の積算値を記憶する受信処理部と、前記第１及び第２の積算値を比較し、比較結果に基づき、前記第１及び第２の積算値に対応する前記第１及び第２の素材データが同一であるか否かを判断する比較処理部とからなることを特徴とする。
【００１４】
そして、本発明によれば、第１及び第２のタイミングに基づき得られる第１及び第２の積算値を比較して、入力された素材データと、放送局から受信した素材データとが同一であるか否かを判断するため、放送すべき素材データが実際に放送されたか否かを確実に確認することが可能になる。
【００１５】
上記放送素材確認システムにおいて、前記登録処理部は、前記第１のタイミングを規定する第１のタイミング信号を生成するタイミング制御部と、入力された前記素材データにおける所定のカットオフ周波数以下の周波数成分を制限するハイパスフィルタと、前記第１のタイミング信号に基づき、前記素材データの前記カットオフ周波数以下の帯域に前記第１のタイミングで前記トーンを付加して前記第１の素材データを生成するトーン付加部と、前記第１の素材データに対して周波数分析を行い、前記第１のタイミング信号に基づき、前記第１のタイミング間隔毎に周波数成分を積算して前記第１の積算値を算出する第１の周波数分析部と、前記第１の積算値を記憶する第１の記憶部と、前記第１の素材データを前記放送局に対して出力する素材登録部とを備え、前記受信処理部は、前記放送局から放送された前記第２の素材データを受信する放送受信部と、前記第２の素材データから前記トーンを検出すると共に、前記検出されたタイミングで、前記第２のタイミングを規定する第２のタイミング信号を生成して出力するトーン検出部と、前記第２の素材データに対して周波数分析を行い、前記第２のタイミング信号に基づき、前記第２のタイミング間隔毎に周波数成分を積算して前記第２の積算値を算出する第２の周波数分析部と、前記第２の積算値を記憶する第２の記憶部とを備え、前記比較処理部は、前記第１及び第２の積算値を比較し、前記第１及び第２の積算値が一致するか否かを判断するサーチ部と、前記サーチ部における判断結果に基づき、前記第１及び第２の積算値に対応する前記第１及び第２の素材データが同一であるか否かを判断する結果出力部とを備えることができる。
【００１６】
上記放送素材確認システムにおいて、前記サーチ部は、前記第１及び第２の積算値を周波数成分毎に比較し、信号レベルが同一となる周波数成分が予め設定された所定の割合以上である場合に、前記第１及び第２の積算値が一致すると判断し、前記結果出力部は、前記サーチ部で一致すると判断された積算値が予め設定された所定の割合以上である場合に、前記第１及び第２の積算値に対応する前記第１及び第２の素材データが同一であると判断することができる。これにより、例えば、放送局から素材データが放送された際に、何らかの障害が発生した場合でも、第１及び第２の素材データが同一であると判断することができる。
【００１７】
上記放送素材確認システムにおいて、前記素材データを、音声信号を含むデータとすることができる。
【００１８】
上記放送素材確認システムにおいて、前記トーンを単一の周波数成分からなるシングルトーンとすることができる。
【００１９】
また、本発明は、放送局から放送された素材データを確認する放送素材確認方法であって、入力された素材データに対して所定の第１のタイミング毎にトーンを付加し、前記トーンが付加された第１の素材データに対して所定の周波数分析を行い、該周波数分析により得られる分析値を、前記第１のタイミング間隔毎に積算した第１の積算値を記憶し、前記第１の素材データを前記放送局に対して出力し、前記放送局から放送された、トーンが付加された第２の素材データを受信し、前記第２の素材データから前記トーンを検出し、前記第２の素材データに対して前記所定の周波数分析を行い、該周波数分析により得られる分析値を、前記トーンを検出した第２のタイミング間隔毎に積算した第２の積算値を記憶し、前記第１及び第２の積算値を比較し、比較結果に基づき、前記第１及び第２の積算値に対応する前記第１及び第２の素材データが同一であるか否かを判断することを特徴とする。本発明によれば、前記発明と同様に、放送すべき素材データが実際に放送されたか否かを確実に確認することが可能になる。
【発明の効果】
【００２０】
以上のように、本発明によれば、素材をほとんど加工することなく、放送すべき音声素材が実際に放送されたか否かを正確に検出することが可能になる。
【図面の簡単な説明】
【００２１】
【図１】本発明に係る放送素材確認システムの一実施の形態を示すブロック図である。
【図２】ハイパスフィルタについて説明するための略線図である。
【図３】トーン付加部について説明するための略線図である。
【図４】周波数分析部について説明するための略線図である。
【図５】周波数分析部における周波数成分の抽出について説明するための略線図である。
【図６】周波数積算値メモリ部について説明するための略線図である。
【図７】タイミング制御部について説明するための略線図である。
【図８】トーン検出部について説明するための略線図である。
【図９】周波数積算値メモリ部について説明するための略線図である。
【図１０】サーチ部について説明するための略線図である。
【図１１】サーチ部における比較処理について説明するための略線図である。
【図１２】サーチ部について説明するための略線図である。
【図１３】本発明に係る放送素材確認システムの処理の流れについて説明するためのシーケンス図である。
【図１４】比較処理部の処理の流れについて説明するためのフローチャートである。
【発明を実施するための形態】
【００２２】
次に、本発明を実施するための形態について、図面を参照しながら詳細に説明する。
【００２３】
まず、本発明に係る放送素材確認システムの構成の一例について説明する。図１は、本発明に係る放送素材確認システムの一実施の形態を示し、この放送素材確認システム１は、大別して、放送局４０に対して音声信号である音声素材データ（以下、「素材データ」とする）を供給すると共に、素材データに対して所定の周波数分析を行う登録処理部１０と、放送局４０から受信した素材データに対して所定の周波数分析を行う受信処理部２０と、登録処理部１０及び受信処理部２０による素材データに対する周波数分析の結果を比較し、各々の素材データが一致するか否かを判断する比較処理部３０とで構成される。
【００２４】
登録処理部１０は、ハイパスフィルタ（ＨＰＦ；High Pass Filter）１１、トーン付加部１２、周波数分析部１３、周波数積算値メモリ部１４、タイミング制御部１５及び音声素材登録部１６を備える。
【００２５】
ハイパスフィルタ１１は、素材名称が付加された素材データが入力され、所定の周波数以下の周波数成分を制限する。例えば、ハイパスフィルタ１１は、図２に示すように、入力された素材データに対して予め設定されたカットオフ周波数ｆｃ以下の周波数成分を制限する。カットオフ周波数ｆｃは、例えば、聴感上問題ない周波数帯を制限するように設定される。図２では、カットオフ周波数ｆｃを５０Ｈｚとした場合の例を示す。
【００２６】
トーン付加部１２は、ハイパスフィルタ１１でカットオフ周波数ｆｃ以下の周波数成分が制限された素材データに対して、所定の周波数成分を有するトーンを、後述するタイミング制御部１５から供給されるタイミング信号が示すタイミングで付加する。トーンは、図３に示すように、例えば、カットオフ周波数ｆｃより低い単一の周波数成分からなるシングルトーンである。図３では、トーンの周波数を３０Ｈｚ、出力レベルを−４０ｄＢｍとした場合の例を示す。
【００２７】
周波数分析部１３は、トーン付加部１２でトーンが付加された素材データに対してＦＦＴ（Fast Fourier Transform）等の周波数分析を行い、タイミング制御部１５から所定のタイミング毎に供給されるタイミング信号に基づき、タイミング信号の間隔毎に分析値の積算値を算出する。そして、算出された積算値から音声レベルの高い周波数を所定数だけ抽出する。
【００２８】
具体的には、例えば、図４に示すように、タイミング制御部１５からのタイミング信号が１００ｍ秒間隔で供給された場合には、所定のタイミング信号が供給された時点を開始点とすると共に、次のタイミング信号が供給された時点を終了点とし、開始点から終了点までの１００ｍ秒間を１００Ｈｚで分割するＦＦＴを行い、分析値の積算値を１００ｍ秒毎に素材長分だけ算出する。
【００２９】
次に、周波数分析部１３は、図５に示すように、算出された積算値に対して予め設定された閾値ｔｈを超える音声レベルの積算値の中から、音声レベルの高い周波数を所定数だけ抽出する。そして、音声レベルが最も高い周波数の積算値を基準値とし、抽出された各々の周波数の積算値の比を算出する。
【００３０】
図５の例では、閾値ｔｈを−２０ｄＢｍとし、抽出数を「１０」とした場合を示す。この例では、音声レベルが高いものから順に、周波数が７．３ｋＨｚ、５．３ｋＨｚ、１１．３ｋＨｚ、４．６ｋＨｚ、９．３ｋＨｚ、２．５ｋＨｚ、８．３ｋＨｚ、３．９ｋＨｚ、６．３ｋＨｚ、１３．７ｋＨｚの積算値が抽出される。そして、音声レベルが最も高い７．３ｋＨｚの積算値を基準値（１．０）とし、抽出された各々の周波数の積算値の比を算出する。
【００３１】
周波数積算値メモリ部１４は、周波数分析部１３で算出された積算値を記憶する。積算値を記憶する場合、周波数積算値メモリ部１４は、素材名称と同一の名称を付したフォルダを作成し、このフォルダ内に、素材名称と素材データの分割順を示す番号とを名称として付与した積算値を記憶する。例えば、図６に示すように、放送素材確認システム１に入力される素材データに付加された素材名称が「ＡＡＡＡ」である場合には、フォルダ「ＡＡＡＡ」を作成し、名称を「ＡＡＡＡ−１」、「ＡＡＡＡ−２」、・・・として積算値を記憶する。例えば、素材データ長が２０秒であり、タイミング信号の間隔が１００ｍ秒である場合には、周波数分析部１３において積算値が２００個分だけ算出されるので、積算値の名称は、「ＡＡＡＡ−１」〜「ＡＡＡＡ−２００」となる。
【００３２】
タイミング制御部１５は、所定のタイミング毎にタイミング信号を生成し、トーン付加部１２及び周波数分析部１３に供給する。上述したように、所定のタイミング毎に生成されるタイミング信号の間隔が、周波数分析部１３において周波数分析値を積算する間隔となる。タイミング制御部１５は、例えば、図７に示すように、所定のタイミング毎にＯＮ／ＯＦＦを行うスイッチで構成され、ＯＮとされた際に、タイミング信号がトーン付加部１２及び周波数分析部１３（不図示）に対して供給される。
【００３３】
音声素材登録部１６は、トーン付加部１２でトーンが付加された素材データを登録し、メディア等を介して放送局４０に供給する。放送局４０は、音声素材登録部１６から供給された素材データを、予め設定された運行データに従って放送する。
【００３４】
受信処理部２０は、放送受信部２１、トーン検出部２２、周波数分析部２３及び周波数積算値メモリ部２４を備える。放送受信部２１は、放送局４０から放送された素材データを受信し、トーン検出部２２及び周波数分析部２３に供給する。
【００３５】
トーン検出部２２は、例えば、入力されたデータに対して所定のカットオフ周波数以上の周波数成分を制限するローパスフィルタで構成される。トーン検出部２２は、図８に示すように、放送受信部２１から供給された素材データから上述したカットオフ周波数以上の周波数成分を制限することにより、トーン付加部１２で付加されたトーンを検出する。そして、トーンを検出したタイミングを開始点及び終了点のタイミングとして、周波数分析部２３に供給する。
【００３６】
周波数分析部２３は、放送受信部２１から供給された素材データに対して、周波数分析部１３で行われる周波数分析と同様の周波数分析（ＦＦＴ等）を行い、トーン検出部２２から供給される開始点及び終了点のタイミング毎に分析値の積算値を算出する。そして、周波数分析部１３と同様に、算出された積算値から音声レベルの高い周波数を所定数だけ抽出する。
【００３７】
周波数積算値メモリ部２４は、周波数分析部２３で算出された積算値を記憶すると共に、記憶した積算値をサーチ部３１に供給する。積算値を記憶する場合、周波数積算値メモリ部２４は、素材データが放送された日時に基づく名称を付したフォルダを作成し、このフォルダ内に、分割順に従った番号を名称として付与した積算値を記憶する。例えば、図９に示すように、素材データの放送日時が「２０１１年１２月２０日１６時５７分２０秒」である場合には、フォルダ「２０１１１２２０１６５７２０」を作成し、名称を「１」、「２」、・・・として積算値を記憶する。例えば、素材データ長が２０秒であり、タイミング信号の間隔が１００ｍ秒である場合には、周波数分析部２３において積算値が２００個分だけ算出されるので、積算値の名称は、「１」〜「２００」となる。
【００３８】
比較処理部３０は、サーチ部３１及び結果出力部３２を備える。サーチ部３１は、周波数積算値メモリ部２４から積算値が供給されると、この積算値と、周波数積算値メモリ部１４に記憶された積算値とを比較し、積算値が一致するか否かを判断する。
【００３９】
サーチ部３１は、例えば、周波数積算値メモリ部１４及び周波数積算値メモリ部２４に記憶された各々の積算値における各周波数の特性が予め設定された所定の割合以上一致するか否かを確認する。そして、確認の結果、周波数の特性が所定の割合以上だけ一致する場合には、各々の積算値が一致したと判断し、「一致」を示すサーチ情報を出力する。また、一致する周波数の特性が所定の割合未満の場合には、各々の積算値が一致しないと判断し、「不一致」を示すサーチ情報を出力する。
【００４０】
具体的には、図１０に示すように、周波数積算値メモリ部２４から供給されたフォルダ「２０１１１２２０１６５７２０」内の積算値「１」と、周波数積算値メモリ部１４に記憶されたフォルダ「ＡＡＡＡ」内の積算値「ＡＡＡＡ−１」とを比較する。積算値の比較の際には、閾値ｔｈに基づき抽出された１０点の周波数成分のうち、例えば８割以上が一致した場合に、各々の積算値が一致したと判断し、「一致」を示すサーチ情報を結果出力部３２に対して出力する。例えば、図１１に示す例では、周波数積算値メモリ部１４に記憶された積算値「ＡＡＡＡ−１」と、周波数積算値メモリ部２４に記憶された積算値「１」とを比較し、周波数が７．３ｋＨｚ、４．６ｋＨｚ、９．３ｋＨｚ、２．５ｋＨｚ、８．３ｋＨｚ、３．９ｋＨｚ、６．３ｋＨｚ及び１３．７ｋＨｚにおける特性（基準値に対する比）が一致し、抽出された周波数成分の８割が一致するため、各々の積算値が一致したと判断する。
【００４１】
以下、同様にして、分割順に基づき周波数積算値メモリ部１４及び周波数積算値メモリ部２４に記憶された各々の積算値を順次比較し、比較結果に応じたサーチ情報を出力する。
【００４２】
ここで、比較する積算値のデータ数が一致しない場合には、素材データ長が異なるため、サーチ部３１は、比較対象となる素材データが異なるものであると判断し、「対象データなし」を示すサーチ情報を出力する。
【００４３】
例えば、図１２に示す例では、フォルダ「２０１１１２２０１６５７２０」内の積算値がｎ点存在するのに対し、フォルダ「ＡＡＡＡ」内の積算値がｎ点より多いｍ点だけ存在する。この場合、フォルダ「ＡＡＡＡ」及びフォルダ「２０１１１２２０１６５７２０」内に記憶されたデータ数が異なり、フォルダ「２０１１１２２０１６５７２０」内のｍ番目の積算値「ＡＡＡＡ−ｍ」を比較することができない。従って、このような場合、サーチ部３１は、「対象データなし」を示すサーチ情報を出力する。
【００４４】
結果出力部３２は、サーチ部３１から供給されたサーチ情報に基づき、各々の素材データの比較結果を示す結果情報を出力する。結果出力部３２は、「一致」を示すサーチ情報が所定の割合以上（例えば、８割以上）となった場合に、各々の積算値に対応する素材データが一致したと判断し、結果情報として素材名称を出力する。また、「不一致」及び／又は「対象データなし」を示すサーチ情報が所定の割合未満となった場合には、各々の積算値に対応する素材データが一致しないと判断し、結果情報として「素材なし」を示す情報を出力する。
【００４５】
次に、上記構成を有する放送素材確認システム１の動作について、図１３及び図１４を参照して説明する。まず、放送素材確認システム１全体の動作について、図１３を参照して説明する。
【００４６】
放送素材確認システム１に対して素材データが入力されると、登録処理部１０は、ハイパスフィルタ１１において入力された素材データに対してカットオフ周波数ｆｃ以下の周波数成分を制限し、トーン付加部１２において所定の単一の周波数からなるトーンを付加する。そして、周波数分析部１３において、この素材データに対して周波数分析を行う（ステップＳ１、Ｓ２）。
【００４７】
周波数分析によって得られた積算値は、音声素材登録部１６を介して放送局４０に供給される（シーケンスＳＥＱ１）と共に、周波数積算値メモリ部１４に記憶する（ステップＳ３）。
【００４８】
放送局４０は、登録処理部１０から供給された素材データを、予め設定された運行データに従って放送する（シーケンスＳＥＱ２）。
【００４９】
受信処理部２０は、放送局４０によって放送された素材データを放送受信部２１で受信し（ステップＳ５）、受信した素材データからトーンをトーン検出部２２によって検出する（ステップＳ６）と共に、周波数分析部２３によって素材データに対して周波数分析を行う（ステップＳ７）。周波数分析によって得られた積算値は、周波数積算値メモリ部２４に記憶され（ステップＳ８）、比較処理部３０のサーチ部３１に供給される（シーケンスＳＥＱ３）。
【００５０】
比較処理部３０は、サーチ部３１により、受信処理部２０の周波数積算値メモリ部２４から供給された積算値と、登録処理部１０の周波数積算値メモリ部１４に記憶された積算値（シーケンスＳＥＱ４）とに基づき、各々の積算値が一致するか否かの判断を行う比較処理を実行し、各々の積算値の比較結果を示すサーチ情報を出力する（ステップＳ９）。尚、この比較処理の詳細については、後述する。そして、比較処理部３０は、結果出力部３２により、サーチ情報に基づき、各々の積算値に対応する素材データが一致するか否かを示す結果情報を出力する。
【００５１】
次に、図１３のステップ９におけるサーチ部３１による比較処理の詳細について、図１４を参照して説明する。
【００５２】
まず、ステップＳ１１において、周波数積算値メモリ部２４からサーチ部３１に対して供給された所定フォルダ内の積算値と、周波数積算値メモリ部１４に記憶された所定フォルダ内の積算値とが比較される。ここでは、最初に、各々のフォルダに記憶された積算値のうち、１番目の積算値同士を比較する。例えば、図１０に示す例では、周波数積算値メモリ部２４から供給されたフォルダ「２０１１１２２０１６５７２０」内の積算値「１」と、周波数積算値メモリ部１４に記憶されたフォルダ「ＡＡＡＡ」内の積算値「ＡＡＡＡ−１」とが比較される。
【００５３】
次に、ステップＳ１１による比較の結果、各々の積算値が一致したか否かが判断される（ステップＳ１２）。具体的には、例えば、閾値ｔｈに基づき抽出された複数の周波数成分が比較され、一致する周波数成分における音声レベルの基準値に対する比が一致するか否かを確認する。そして、複数の周波数成分のうち、比が一致する周波数成分が所定の割合以上となった場合に、各々の積算値が一致したと判断され、それ以外の場合には、各々の積算値が一致しないと判断される。
【００５４】
例えば、複数の周波数成分のうち、比が一致する周波数成分が８割以上となった場合に、各々の積算値が一致したと判断される。図１１に示す例では、１０点の周波数成分のうち、８点の比が一致するため、各々の積算値が一致したと判断される。
【００５５】
次に、各々の積算値が一致したと判断された場合（ステップＳ１２；Ｙｅｓ）には、「一致」を示すサーチ情報が出力される（ステップＳ１３）。一方、各々の積算値が一致しないと判断された場合（ステップＳ１２；Ｎｏ）には、「不一致」を示すサーチ情報が出力される（ステップＳ１４）。
【００５６】
次に、各々のフォルダ内に、次の比較対象となる積算値が存在するか否かが判断される（ステップＳ１５）。次の積算値が存在する場合（ステップＳ１５；Ｙｅｓ）には、処理がステップＳ１１に戻り、各々のフォルダ内に記憶された次の積算値同士が比較される。次の積算値が存在しない場合（ステップＳ１５；Ｎｏ）には、各々のフォルダ内に記憶された積算値のデータ数が一致するか否かが判断され（ステップＳ１６）、積算値のデータ数が一致する場合（ステップＳ１６；Ｙｅｓ）には、一連の処理が終了する。
【００５７】
一方、積算値のデータ数が一致しない場合（ステップＳ１６；Ｎｏ）には、比較対象となる積算値が異なるため、「対象データなし」を示すサーチ情報が出力される（ステップＳ１７）。
【００５８】
以上のように、本実施の形態によれば、タイミング制御部で生成されたタイミング信号のタイミングに基づき、入力された素材データに対してトーンを付加すると共に、トーンが付加された素材データに対して周波数分析を行って得られる積算値と、トーンが付加された、放送局から受信した素材データからトーンを検出し、トーンが検出されたタイミングに基づき、放送局から受信した素材データに対して周波数分析を行って得られる積算値とを比較して、各々の積算値に対応する素材データが同一であるか否かを判断する。このとき、入力された素材データと、放送された素材データとが同一であれば、トーンに基づくタイミングが同一となるため、各々の積算値が一致することになる。これにより、素材データが放送されたか否かを確実に検出することが可能になる。
【符号の説明】
【００５９】
１  放送素材確認システム
１０  登録処理部
１１  ハイパスフィルタ
１２  トーン付加部
１３  周波数分析部
１４  周波数積算値メモリ部
１５  タイミング制御部
１６  音声素材登録部
２０  受信処理部
２１  放送受信部
２２  トーン検出部
２３  周波数分析部
２４  周波数積算値メモリ部
３０  比較処理部
３１  サーチ部
３２  結果出力部
４０  放送局
【図１】
0005967701.tif 000002
【図２】
0005967701.tif 000003
【図３】
0005967701.tif 000004
【図４】
0005967701.tif 000005
【図５】
0005967701.tif 000006
【図６】
0005967701.tif 000007
【図７】
0005967701.tif 000008
【図８】
0005967701.tif 000009
【図９】
0005967701.tif 000010
【図１０】
0005967701.tif 000011
【図１１】
0005967701.tif 000012
【図１２】
0005967701.tif 000013
【図１３】
0005967701.tif 000014
【図１４】
0005967701.tif 000015